(57)【特許請求の範囲】
【請求項１】
表面と裏面を有する多孔質板の表面上に配置され、該表面に空気を吹き付ける空気吹き付けダクトと、
前記空気吹き付けダクトに接続された吹き付けホースと、
前記多孔質板の裏面上に配置され、該裏面上の空気を吸引する空気吸引ダクトと、
前記空気吸引ダクトに接続された吸引ホースと、
前記吸引ホースを介して吸引された空気を除湿する除湿器と、
前記除湿器により除湿された空気を加熱する加熱器と、
前記吸引ホースを介して前記空気吸引ダクトの空気を吸引するとともに、前記除湿器で除湿され、かつ前記加熱器で加熱された空気を、前記吹き付けホースを介して前記空気吹き付けダクトに送出する循環ブロアと、を備え、
前記空気吹き付けダクトにより前記多孔質板の表面に前記除湿器により除湿されかつ前記加熱器により加熱された空気を吹き付けて該多孔質板の表面を加圧すると同時に、前記空気吸引ダクトにより該多孔質板の裏面の空気を吸引して該多孔質板の裏面を減圧することにより、該多孔質板を脱水することを特徴とする多孔質板の脱水装置。
【請求項２】
前記空気吹き付けダクトは、該空気吹き付けダクト内の空間を仕切って、複数の吹き付けセルを形成する吹き付けセル仕切板を備え、該複数の吹き付けセルが、それらの上方空間を介して前記吹き付けホースに連通し、
前記空気吸引ダクトは、該空気吸引ダクト内の空間を仕切って複数の吸引セルを形成する吸引セル仕切板を備え、該複数の吸引セルが、それらの下方空間を介して前記吸引ホースに連通していることを特徴とする請求項１に記載の多孔質板の脱水装置。
【請求項３】
前記多孔質板を載せて搬送する複数の搬送ローラを備え、
各吸引セルは、隣接する搬送ローラの間に配置され、各吹き付けセルと各吸引セルとは互いに対向して配置されたことを特徴とする請求項２に記載の多孔質板の脱水装置。
【請求項４】
前記吹き付けセル仕切板は、前記複数の吹き付けセルが同じ寸法になるように組まれており、前記吸引セル仕切板は、前記複数の吸引セルが同じ寸法になるように組まれていることを特徴とする請求項３に記載の多孔質板の脱水装置。
【請求項５】
表面と裏面を有する多孔質板の表面上に配置された空気吹き付けダクトを用いて、該多孔質板の表面に除湿されかつ加熱された空気を吹き付けて該多孔質板の表面を加圧すると同時に、該多孔質板の裏面上に配置された空気吸引ダクトを用いて、該多孔質板の裏面の空気を吸引して該多孔質板の裏面を減圧することにより、該多孔質板を脱水することを特徴とする多孔質板の脱水方法。
【発明の詳細な説明】
【技術分野】
【０００１】
本発明は、多孔質板の脱水装置及び多孔質板の脱水方法に関する。
【背景技術】
【０００２】
近年、工場において生産された外壁材を施工現場において建物に取り付ける施工方法が広く普及している。工場で生産される外壁材としては、ＡＬＣ板、プレキャストコンクリート板、硬質木片セメント板等が知られている。これらの外壁材の中でも、特に、ＡＬＣ板は軽量で施工し易いため、多くの外壁材に用いられている。ＡＬＣは、Autoclaved Light-weight Concrete（軽量気泡コンクリート）の略である。
【０００３】
ＡＬＣ板の生産工程では、通常、その表面に切削加工により凹凸模様が形成され、その後、その外観及び防水性を向上させるため、その表面に塗料が塗布される。なお、ＡＬＣ板とその生産工程については、特許文献１、２に記載されている。
【先行技術文献】
【特許文献】
【０００４】
【特許文献１】特開２００８−６３２９号公報
【特許文献２】特開２０１０−１３８５６５号公報
【発明の概要】
【発明が解決しようとする課題】
【０００５】
ところで、ＡＬＣ板は、珪石、セメント、生石灰、発泡剤のアルミ粉末を含む素材を高温高圧（１８０℃、１０気圧）の蒸気中で養生することにより製造されるため、多数の微細な気泡を有し、相当量の水分を含んでいる。
【０００６】
そのため、ＡＬＣ板を建物の外壁として取り付けた場合、特に夏場ではＡＬＣ板の内部から水分が浸み出して、ＡＬＣ板の表面やその周辺の建材にカビが発生するおそれがあった。そこで、ＡＬＣ板を加熱やエアブロー等により事前に脱水しておくことが必要となるが、従来の方法では脱水に時間がかかった。
【０００７】
そこで、本発明はＡＬＣ板等の多孔質板の脱水を促進させることができる脱水装置及び脱水方法を提供することを目的としている。
【課題を解決するための手段】
【０００８】
上述の課題に鑑み、本発明の多孔質板の脱水装置は、表面と裏面を有する多孔質板の表面上に配置され、該表面に空気を吹き付ける空気吹き付けダクトと、前記空気吹き付けダクトに接続された吹き付けホースと、前記多孔質板の裏面上に配置され、該裏面上の空気を吸引する空気吸引ダクトと、前記空気吸引ダクトに接続された吸引ホースと、
前記吸引ホースを介して吸引された空気を除湿する除湿器と、前記除湿器により除湿された空気を加熱する加熱器と、前記吸引ホースを介して前記空気吸引ダクトの空気を吸引するとともに、前記除湿器で除湿され、かつ前記加熱器で加熱された空気を、前記吹き付けホースを介して前記空気吹き付けダクトに送出する循環ブロアと、を備え、
前記空気吹き付けダクトにより前記多孔質板の表面に前記除湿器により除湿されかつ前記加熱器により加熱された空気を吹き付けて該多孔質板の表面を加圧すると同時に、前記空気吸引ダクトにより該多孔質板の裏面の空気を吸引して該多孔質板の裏面を減圧することにより、該多孔質板を脱水することを特徴とする。
【０００９】
また、本発明の多孔質板の脱水方法は、表面と裏面を有する多孔質板の表面上に配置された空気吹き付けダクトを用いて、該多孔質板の表面に除湿されかつ加熱された空気を吹き付けて該多孔質板の表面を加圧すると同時に、該多孔質板の裏面上に配置された空気吸引ダクトを用いて、該多孔質板の裏面の空気を吸引して該多孔質板の裏面を減圧することにより、該多孔質板を脱水することを特徴とする。
【発明の効果】
【００１０】
本発明によれば多孔質板の脱水を促進させ、カビの発生を防止することができる。
【図面の簡単な説明】
【００１１】
【図１】本発明の実施形態における多孔質板の脱水装置を示す平面図である。
【図２】図１のＡ−Ａ線における断面図である。
【図３】図１のＢ−Ｂ線における断面図である。
【図４】本発明の多孔質板の脱水の機構を説明する断面図である。
【図５】多孔質板の全体の製造工程を示す工程図である。
【発明を実施するための形態】
【００１２】
図１は、本発明の実施形態における多孔質板の脱水装置の構成を示す平面図、図２は、図１のＡ−Ａ線における断面面である。図３は、図１のＢ−Ｂ線における断面図である。図４は、多孔質板の脱水の機構を説明する断面図である。
【００１３】
ＡＬＣ板等の多孔質板１はコンベア２上でＸ方向（水平方向）に搬送されながら脱水装置により脱水が行われる。コンベア２は、例えば、複数の搬送ローラ３と、搬送ローラ３を回転駆動する搬送モータ（不図示）を含んで構成される。
【００１４】
本実施形態における多孔質板の脱水装置は、多孔質板１の表面に配置され、この表面に空気を吹き付ける空気吹き付けダクト４と、この空気吹き付けダクト４の天井に接続された吹き付けホース５と、多孔質板１の裏面上に配置され、該裏面上の空気を吸引する空気吸引ダクト６と、この空気吸引ダクト６の底面に接続された吸引ホース７を備える。
【００１５】
多孔質板の脱水装置は、さらに、吸引ホース７を介して吸引された空気を除湿する除湿器８と、除湿器８により除湿された空気を加熱する加熱器９と、吸引ホース７を介して空気吸引ダクト６の空気を吸引するとともに、除湿器８で除湿され、かつ加熱器９で加熱された空気を、吹き付けホース５を介して空気吹き付けダクト４に送出する循環ブロア１０を備える。すなわち、循環ブロア１０は、吹き付け空気と吸引空気を循環路に循環させるポンプ機能を持っている。この場合、吸引ホース７に吸引された空気にはゴミ等の異物が含まれることが多いため、この異物を除去するフィルタ１１が吸引ホース７に挿入されることが好ましい。
【００１６】
この脱水装置によれば、空気吹き付けダクト４を用いて、その吹き付け口から多孔質板１の表面に、除湿及び加熱された空気を吹き付けて多孔質板１の表面を加圧すると同時に、空気吸引ダクト６を用いて、その吸引口から多孔質板１の裏面の空気を吸引して多孔質板１の裏面を減圧することにより、多孔質板１の脱水を促進することができる。
【００１７】
すなわち、図４に示すように、多孔質板１の表面を加圧し、その裏面を減圧することにより、多孔質板１の表面と裏面の間に大きな空気圧の差が生じる。この場合、表面は３〜８気圧に加圧され、裏面は０．５気圧以下に減圧されることが好ましい。
【００１８】
また、多孔質板１は、多孔質という性質上、多数の微細な気泡を有しており、気泡の多くは微細な管又は隙間によって互いに連結され、多孔質板１の表面から裏面に到達する水分（または水蒸気）の脱水経路が形成されている。また、多孔質板１の表面には、除湿及び加熱された空気が吹き付けられる。このように、空気圧の差、脱水経路の形成、除湿及び加熱された空気の吹き付けの協同作用により、多孔質板１の脱水が促進されるのである。
【００１９】
多孔質板１の表面に空気を吹き付け、裏面の空気を吸引する際に、通常のダクトを用いたのではダクト内で空気の流れが分散してしまい、十分な吹き付け力と吸引力が得られない。
【００２０】
そこで、空気吹き付けダクト４は、天井と開口された底部を有する箱状の吹き付けダクト本体４ａと、吹き付けダクト本体４ａ内の空間を仕切って複数の吹き付けセル４ｂを形成する吹き付けセル仕切板４ｃを備えている。複数の吹き付けセル４ｂは、Ｚ方向（垂直方向）及びＹ方向にスリット状に延びており、隣接する吹き付けセル４ｂは、それらの間に吹き付け空気を逃がす空間が生じるように、吹き付けセル仕切板４ｃを介して離間されている。複数の吹き付けセル４ｂの吹き付け口の高さは、多孔質板１の表面から同じ高さに揃っている。
【００２１】
そして、複数の吹き付けセル４ｂは、それらの上方空間を介して吹き付けダクト本体４ａの天井に接続された吹き付けホース５に連通している。これにより、吹き付けセル４ｂに吹き付けホース５からの吹き付け空気の流れが集中し、その流速が上がることにより、空気圧をより高めることができる。吹き付けセル４ｂの吹き付け口から多孔質板１の表面に吹き付けられた空気は、隣接する吹き付けセル４ｂとの空間に逃げるようになっている。
【００２２】
また、各吹き付けセル４ｂにおける空気圧を均一にするために、吹き付けセル仕切板４ｂは、複数の吹き付けセル４ｂが同じ寸法になるように組まれていることが好ましい。図１においては、９列の吹き付けセル４ｂが形成されているが、その個数や配列数は多孔質板１の寸法及び保有水分量応じて適宜変更することができる。
【００２３】
同様に、空気吸引ダクト６は、底部と開口された天井を有する箱状の吸引ダクト本体６ａと、吸引ダクト本体６ａ内の空間を仕切って複数の吸引セル６ｂを形成する吸引セル仕切板６ｃを備えている。複数の吸引セル６ｂは、Ｚ方向（垂直方向）及びＹ方向にスリット状に延びており、隣接する吸引セル６ｂは、それらの間に空間が生じるように、吸引セル仕切板６ｃを介して離間されている。複数の吸引セル６ｂの吸引口の高さは、多孔質板１の裏面から同じ高さに揃っている。
【００２４】
そして、複数の吸引セル６ａは、それらの下方空間を介して吸引ダクト本体６ａの底部に接続された吸引ホース７に連通している。これにより、吸引セル６ｂに吸引空気の流れが集中し、その流速が上がることにより空気圧をより減圧することができる。
【００２５】
また、各吸引セル６ｂにおける空気圧を均一にするために、吸引セル仕切板６ｃは、複数の吸引セル６ｂが同じ寸法になるように組まれていることが好ましい。図１においては、９列の吸引セル６ｂが形成されているが、その個数や配列数は多孔質板１の寸法に応じて適宜変更することができる。
【００２６】
また、各吸引セル６ｂは隣接する搬送ローラ３の間に配置され、各吹き付けセル４ｂと各吸引セル６ｂとは互いに対向して配置されることが好ましい。つまり、吹き付けセル４ｂと吸引セル６ｂは、Ｘ方向に同じ幅と、ピッチで配列されており、吹き付けセル４ｂの先端の吹き付け口の位置と、吸引セル６ｂの先端の吸引口の位置が揃っている。
【００２７】
このように、各吸引セル６ｂを隣接する搬送ローラ３の間に配置することで、吸引セル６ｂと搬送ローラ３との干渉が防止される。また、吹き付けセル４ｂの先端の吹き付け口の位置と、吸引セル６ｂの先端の吸引口の位置を揃えることで、多孔質板１の表面と裏面の空気圧の差を大きくして脱水をさらに促進することができる。
【００２８】
さらに、本実施形態では、吹き付けホース５、吸引ホース７、除湿器８、加熱器９、循環ブロア１０、及びフィルタ１１が、複数の（本実施形態では３個）吹き付けセル４ｂ毎に１つずつ、合計３組設けられている。これは、吹き付けセル４ｂにおける空気圧をさらに均一に加圧し、並びに、吸引セル６ｂにおける空気圧をさらに均一に減圧するためである。吹き付けホース５、吸引ホース７、除湿器８、加熱器９、循環ブロア１０及びフィルタ１１の組数は、適宜増減することができる。
【００２９】
図５は、多孔質板１の全体の製造工程を示すフロー図である。先ず、ステップＳ１では、多孔質板１の脱水が本実施形態の脱水装置を用いて行われる。次のステップＳ２では、脱水された多孔質板１のデザイン加工が行われる。このステップでは、多孔質板１の表面が刃物等の切削器具を用いた切削され、凹凸模様が形成される。
【００３０】
デザイン加工前に、多孔質板１の脱水を行っているのは、この時には多孔質板１の表面は平坦であり、空気吹き付けダクト４の吹き付け口と多孔質板１の表面との距離を一定に保ち、空気圧を一定にすることができるからである。これに対し、デザイン加工後では多孔質板１の表面に凹凸模様が形成されることから、空気吹き付けダクト４の吹き付け口と多孔質板１の表面との距離が一定にならず、空気圧が場所によって不均一になってしまう。
【００３１】
次のステップＳ３では、外観及び防水性を向上させるため、多孔質板１の表面、側面等に塗料が塗布される。
【００３２】
なお、本発明は、ＡＬＣ板に限らず、多数の微細な気泡を有し、相当量の水分を含んだ多孔質板の脱水に適用することができる。
【符号の説明】
【００３３】
１  多孔質板
２  コンベア
３  搬送ローラ
４  空気吹き付けダクト
４ａ  吹き付けダクト本体
４ｂ  吹き付けセル
４ｃ  吹き付けセル仕切板
５  吹き付けホース
６  空気吸引ダクト
６ａ  吸引ダクト本体
６ｂ  吸引セル
６ｃ  吸引セル仕切板
７  吸引ホース
８  循環ブロア
９  空気吹き付けブロア
１０  空気吸引ブロア
１１  フィルタ
【図１】
0005456110.tif 000002
【図２】
0005456110.tif 000003
【図３】
0005456110.tif 000004
【図４】
0005456110.tif 000005
【図５】
0005456110.tif 000006